(57)【要約】【課題】除湿剤と溶解液との混入を防止して除湿剤の延命化を向上させるとともに、第１、第２の連通口を開閉する開閉弁を不要として部品点数を削減し、除湿剤を容器本体内に投入し易くなるなどの除湿器を提供すること。【解決手段】容器本体１と蓋体６０とで形成される内部空間８を、仕切壁１０により上下２つに区画し、該仕切壁１０より上方を除湿剤収納室１１とし、下方を溶解液貯留室１２とするとともに、前記仕切壁１０には除湿剤収納室１１と溶解液貯留室１２とを連通する連通孔１４を形成し、この連通孔１４に器体正立時には開弁状態となり器体転倒時には閉弁状態となる止水弁１５を設ける。【選択図】　　　　　　図１
2004008936.tif 000002
【特許請求の範囲】
【請求項１】
除湿剤を収納する除湿剤収納室を有する容器本体と、容器本体の上部を被蓋する蓋体と、容器本体の上部または蓋体のいずれかに形成した外気導入用の吸気口及び除湿空気排出用の排気口と、容器本体内に収納された除湿剤が外気に接触して溶解された溶解液を貯留する溶解液貯留室とを少なくとも備えた除湿器であって、
前記容器本体と蓋体とで形成される内部空間を、仕切壁により上下２つに区画し、該仕切壁より上方を除湿剤収納室とし、下方を溶解液貯留室とするとともに、前記仕切壁には除湿剤収納室と溶解液貯留室とを連通する連通孔を形成し、この連通孔に器体正立時には開弁状態となり器体転倒時には閉弁状態となる止水弁を設けたことを特徴とする除湿器。
【請求項２】
仕切壁は、容器本体の外周壁上部の内側から前記連通孔または止水弁に向けて下り勾配に傾斜させてある請求項１の除湿器。
【請求項３】
仕切壁より上方に設けた除湿剤収納室には、多数の小孔からなる網目状の除湿剤収納籠を設け、この除湿剤収納籠と前記仕切壁との間に吸気口及び排気口と連通した空気通路を形成してなる請求項１または２の除湿器。
【請求項４】
蓋体の天板部には除湿剤収納室と連通する除湿剤投入口を形成するとともに、容器本体の下部には溶解液貯留室の溶解液を器体外へ排出する溶解液排出口を形成してある請求項１または２の除湿器。
【請求項５】
蓋体の天板部には除湿剤収納籠の上部開口と連通する除湿剤投入口を形成するとともに、容器本体の下部には溶解液貯留室の溶解液を器体外へ排出する溶解液排出口を形成してある請求項３の除湿器。
【請求項６】
吸気口より導入された外気を、除湿剤収納室の除湿剤を経て排気口より器体外へ強制的に排出するためのファンを備えている請求項１〜５のいずれかの除湿器。
【発明の詳細な説明】
【０００１】
【発明の属する技術分野】
本発明は、室内や押し入れやタンス等の除湿を行なう除湿器に係わり、更に詳しく言えば、除湿剤を収容した容器本体内に湿り外気（空気）を通過させて除湿を行なう除湿器に関する。
【０００２】
【従来の技術】
従来より、この種の除湿器としては種々のものが提案されている。例えば、図６及び図７に記載された除湿器が挙げられる。この除湿器を図６及び図７に沿って以下に説明する。
【０００３】
すなわち、上記従来の除湿器は、除湿剤Ｍを収納する収納室０３と、外気（空気）を導入するため蓋体０１０の一端側の側壁に形成した吸気口０１１に連通され開閉弁０５により開閉される第１連通口０４と、除湿剤Ｍを通過した除湿空気を器体外に排出するため蓋体０１０の他端側の側壁に形成した排気口０１２に連通され開閉弁０７により開閉される第２連通口０６とを有する容器本体０１と、容器本体０１に形成された上部開口０２を被蓋するとともに、前記吸気口０１１から導入された外気を、前記第１連通口０４と収納室０３内の除湿剤Ｍと第２連通口０６とを経て前記排気口０１２より器体外へ強制的に排出するためのファン０１３を有する蓋体０１０とを備えている。そして、前記第１連通口０４は容器本体０１の上部の一端側に、第２連通口０６は容器本体０１の上部の他端側に、互に離間して設け、吸気口０１１から導入された除湿すべき外気は、除湿剤Ｍを第１連通口０４から第２連通口０６に至るまで一方向だけに通過されるようにしてある。
【０００４】
（イ）　そして、容器本体０１の収納室０３には、網目状の多数の小孔０２１を形成した、Ｗ字状形の除湿剤収納容器０２０を、容器本体０１の内底面上に載置して収納している。そして、吸気口０１１から導入された外気（空気）は前記除湿剤Ｍに接触して、そこで外気（空気）中の水分が除去される際に、該除湿剤Ｍの一部は溶解（潮触も含む広義の意味で本明細書では使用する。）され溶解液となり、その溶解液は収納室０３の底部内に貯留される。従って、この溶解液中に未溶解の除湿剤Ｍが混入する。
【０００５】
（ロ）　また、容器本体０１の上部の一端側または他端側に離間して形成した前記第１連通口０４と第２連通口０６とには、前述したように、同第１連通口０４と第２連通口０６とを開閉する開閉弁０５、０７を、それぞれ独立した別個の弁装置として用いている。
【０００６】
（ハ）　さらに、容器本体０１の側壁に容器本体０１内と外部とを連通する出入口０８を形成し、この出入口０８から除湿剤Ｍを投入するとともに、溶解液を外部へ排出する。
【０００７】
なお、蓋体０１０は、容器本体０１の上部開口０２を被蓋するととともに、前記第１連通口０４及び開閉弁０５と第２連通口０６及び開閉弁０７とを有する中蓋０１０Ａと、前記ファン０１３の他にモータ０１４と該モータ０１４を駆動する電源（充電器等）０１５ならびに操作つまみ０１６などを設けた外蓋０１０Ｂとからなっている。図６及び図７で、０１７は出入口０８を被蓋するキャップである。図６で０１８はパッキンである。
【０００８】
上記構成からなる除湿器の作用を以下に簡単に説明する。操作つまみ０１６を操作して運転状態にして、除湿器を床面設置状態にすると、開閉弁０５、０７はバネ（図示せず）の付勢力に抗して上動して、第１連通口０４及び第２連通口０６が開放される。この状態で、除湿すべき外気（空気）が存在すると、電源（充電器）０１５からモータ０１４ヘ電源を供給する制御がなされファン０１３が回転される。ファン０１３が回転すると、吸気口０１１から外気（空気）が流入され、図６に矢印で示したように、吸気口０１１から、第１連通口０４、収納室０３内の除湿剤Ｍ、第２連通口０６を経て排気口０１２から外部へ排出される外気（空気）の強制的な流れが形成される。上記使用状態において、除湿器が横転するなどした場合には、器体は床面設置状態とならないため、開閉弁０５、０７はバネの付勢力により下動して、第１連通口０４及び第２連通口０６が閉弁される結果、溶解液が外部へ漏洩されることがない。
【０００９】
【発明が解決しようとする課題】
しかしながら、上記従来例の除湿器は、前記（イ）に記載したように、多数の小孔を形成したＷ字状形の除湿剤収納容器０２０を、容器本体０１の内底面上に載置して収納するため、該除湿剤収納容器内に収納されている除湿剤の溶解液により、未溶解部の除湿剤が浸漬されて溶解が促進され、除湿剤の使用日数が短くなるという難点があった。
【００１０】
また、従来例の除湿器は、前記（ロ）に記載したように、第１連通口０４を開閉する開閉弁０５と、第２連通口０６を開閉する開閉弁０７とを、それぞれ独立して別個のものを設ける必要があった。
【００１１】
さらに、従来例の除湿器は、前記（ハ）に記載したように、容器本体０１の側壁に出入口０８を形成し、この出入口０８から除湿剤を投入する場合には、該出入口０８を上向きにして除湿剤を均等に入れる必要があり面倒であった。また容器本体０１内に溜まった潮解液が出入口０８から漏洩しないようにパッキン０１８を設けるなどシール性を考慮しなければならなかった。
【００１２】
本発明は、上記従来例の除湿器の有する問題点を解決しようとするものであり、除湿剤と溶解液との混入を防止して除湿剤の延命化を向上させるとともに、第１、第２の連通口を開閉する開閉弁を不要として部品点数を削減し、除湿剤を容器本体内に投入し易くなるなどの除湿器を提供することを目的とする。
【００１３】
【課題を解決するための手段】
上記目的を達成するため、本発明の請求項１の除湿器は、除湿剤を収納する除湿剤収納室を有する容器本体と、容器本体の上部を被蓋する蓋体と、容器本体の上部または蓋体のいずれかに形成した外気導入用の吸気口及び除湿空気排出用の排気口と、容器本体内に収納された除湿剤が外気に接触して溶解された溶解液を貯留する溶解液貯留室とを少なくとも備えた除湿器であって、
前記容器本体と蓋体とで形成される内部空間を、仕切壁により上下２つに区画し、該仕切壁より上方を除湿剤収納室とし、下方を溶解液貯留室とするとともに、前記仕切壁には除湿剤収納室と溶解液貯留室とを連通する連通孔を形成し、この連通孔に器体正立時には開弁状態となり器体転倒時には閉弁状態となる止水弁を設けたことを特徴とする。
【００１４】
ここで、前記仕切壁は、その最低部が除湿剤の溶解液の満水位置より上方になるように設ける。これによって、仕切壁より上方の除湿剤収納室に収納した除湿剤（通常は塩化カルシウムなど等の固体である。）と、該除湿剤が除湿すべき外気（空気）が接触して溶解された溶解液とを分離する。つまり、除湿剤の固体と溶解液の液体とを分離して両者が混入しないようにする。
【００１５】
また、仕切壁には前述したように固体と液体を分離するため、除湿剤収納室と溶解液貯留室とを連通する連通孔を形成する必要がある。
この仕切壁の形状としては、本発明では特に限定しないが、容器本体の外周壁上部の内側から前記連通孔または止水弁に向けて下り勾配に傾斜させてある（請求項２参照）方が好ましい。
【００１６】
仕切壁より上方に設けた除湿剤収納室に除湿剤を収納する方式としては、除湿剤を直接に投入して収納する方式、除湿剤を多数の小孔を形成した収納袋に入れて使用済み後には該収納袋を取り出して廃棄できるようにした使い捨て方式、など特に限定しない。仕切壁より上方に設けた除湿剤収納室には、多数の小孔からなる網目状の除湿剤収納籠を設け、この除湿剤収納籠と前記仕切壁との間に吸気口及び排気口と連通した空気通路を形成する（請求項３参照）方式を採用することもできる。
【００１７】
本発明では、蓋体の天板部には除湿剤収納室と連通する除湿剤投入口を形成するとともに、容器本体の下部には溶解液貯留室の溶解液を器体外へ排出する溶解液排出口を形成してある（請求項４参照）方が好ましい。
また、同様に、蓋体の天板部には除湿剤収納籠の上部開口と連通する除湿剤投入口を形成するとともに、容器本体の下部には溶解液貯留室の溶解液を器体外へ排出する溶解液排出口を形成してある（請求項５参照）方が好ましい。
【００１８】
本発明は、従来例と同様に、除湿すべき外気を電動ファンによる強制換気手段によって除湿器、つまり、吸気口より導入された外気を、除湿剤収納室の除湿剤を経て排気口より器体外へ強制的に排出するためのファンを備えている除湿器（請求項６参照）に用いるとが好ましいが、かかる電動ファンによる強制換気手段を用いない除湿器にも適用することができる。
【００１９】
【発明の実施の形態１】
本発明の実施の形態の第１例を図１〜図４に基づいて以下に説明する。
この除湿器は、上部を開口２し下部に底板部３を有する直方体箱状の容器本体１と、容器本体１の上部を被蓋する長方形状の蓋体６０とを備えている。
【００２０】
容器本体１は、一端側には、充電器などの電源５やファン６や該ファン６を駆動するモータ７などの電装部品を収納する電装部品収納室４を縦（上下）方向に形成している。前記電源５とファン６とモータ７とは電気的に接続されている。この電装部品収納室４を除いた容器本体１と蓋体６０で形成される内部空間８は、仕切壁１０によって上下２つに区画される。つまり、仕切壁１０より上方は除湿剤Ｍを収納するための除湿剤収納室１１とし、下方は除湿剤Ｍが潮解など溶解したときの溶解液を収納する溶解液貯留室１２としてある。この仕切壁１０は、一端を容器本体１の外周壁に一体に形成してあるが、別体で形成して両者を溶着や嵌着や係着などによって結合してもよい。
【００２１】
また、仕切壁１０は、容器本体１の外周壁上部の内側（一端側）から連通孔または止水弁（他端側）に向けて下り勾配に傾斜させてある。そして、該仕切壁１０の連通孔または止水弁（他端側）は開口するとともに筒体１３を垂設して、前記除湿剤収納室１１と溶解液貯留室１２とを連通する連通孔１４が形成してある。前記連通孔１４には器体正立時には開弁状態となり器体転倒時には閉弁状態となる止水弁１５を設けてある。
【００２２】
止水弁１５としては、この実施形態では、図１に示す如く、器体正立状態において、連通孔１４上部に設けられ断面ほぼ漏斗状形の上部弁部１６と、連通孔１４内を上下動される弁棒部１７と、弁棒部１７の下端部に形成されて、図３の如く器体が１８０度転倒時または図４の如く器体が９０度転倒時には連通孔１４の弁座部１９に着座されて閉弁状態に保持される下部弁部１８とからなっている。
【００２３】
容器本体１の上部開口２（電装部品収納室４も含む）は、図１に示す如く蓋体６０によって被蓋されている。つまり、容器本体１の上部外周縁部１ａに蓋体６０の底部外周縁部６０ａを嵌合などの着脱方法によって着脱自在に結合してある。このように、蓋体６０が容器本体１に着脱できる構成によれば、除湿剤投入口６３を有する筒状体６４及びそのキャップ６６は不要となり、構造が簡単となる。
【００２４】
前記除湿剤収納室１１を形成する容器本体１の上部他端側の側壁には、除湿すべき外気（空気）を導入するための吸気口２０が形成してあるとともに、同容器本体１の上部一端側の側壁には、除湿剤Ｍに接触して除湿された除湿空気を器体外に排出するための排気連通口２１が形成されている。この排気連通口２１は、蓋体６０の天板部６１の一端側に形成された排気口６２と連通されており、除湿空気は排気口６２から器体外へ排出されるように構成されている。
【００２５】
容器本体１の下部の他端側には、図１に示すように、溶解液貯留室１２の溶解液Ｗを器体外へ排出する溶解液排出口２２が形成してある。この溶解液排出口２２にはシール材２３を介してキャップ２４が嵌装できるようにしてある。この溶解液排出口２２は、容器本体１の外周壁面より突出しないように、その形成部位を内方に窪ませている。
【００２６】
蓋体６０の天板部６１の略中央部には、除湿剤収納室１１と連通する除湿剤投入口６３が形成されている。この除湿剤投入口６３を形成する筒状体６４の外周には雄ねじ６５を形成してあり、この雄ねじ６５にキャップ６６の雌ねじ６７を螺合することにより除湿剤投入口６３が閉塞される。
【００２７】
仕切壁１０より上方に設けた除湿剤収納室１１には、多数の小孔４１…４１からなる網目状の除湿剤収納籠４０を設け、この除湿剤収納籠４０と前記仕切壁１０との間に吸気口２０及び排気口６２と連通した空気通路３０を形成してある。
【００２８】
前記除湿剤収納籠４０は、図１に示すように、除湿すべき外気の接触面積が広くなるように、略Ｗ字状に形成し、その内部を収納部４２とするとともに、上部開口４３と外周壁の上端部４４とを除いた全面には、除湿剤Ｍである粉粒体の単位粒子より小さい多数の小孔４１…４１がネット状に形成してある。また、除湿剤収納籠４０の底部には仕切壁１０に載置する垂下片４５を垂設して、除湿剤収納籠４０の底部と仕切壁１０との間に空気通路３０を設けることもできるが、仕切壁１０の上面または容器本体１の側壁にリブ３１を設けることにより、上記空気通路３０を設けることもできる。容器本体１より蓋体６０を取り外して、除湿剤収納室１１に除湿剤収納籠４０をセットすると、前記垂下片４５が仕切壁１０の上面に当接して保持されるとともに、蓋体６０の被蓋により該蓋体６０の天板部６１の裏面に除湿剤収納籠４０の外周壁上端部４４の頂面４４ａが当接するようにしてある。
【００２９】
従って、前記吸気口２０から導入された外気は、除湿剤収納籠４０の多数の小孔４１…４１より除湿剤Ｍと接触するとともに、空気通路３０及び排気連通口２１を通過して排気口６２に至るように貫流して器体外へ排出するようになっている。この場合、止水弁１５は開弁状態であるため、連通孔１４からも溶解液だけではなく除湿された空気の一部が進入するが、殆ど全部が上記排気口６２から器体外へ排出される。
【００３０】
蓋体６０の天板部６１に形成した除湿剤投入口６３は、除湿剤収納籠４０の上部開口４３と連通するようにしてある。これによれば、キャップ６６を筒状体６４から取り外すことにより、除湿剤投入口６３から除湿剤収納籠４０の上部開口４３内へ除湿剤Ｍを投入すればよいので、除湿剤Ｍを除湿剤収納籠４０内へ供給し易い。
【００３１】
容器本体１の除湿剤収納室１１、つまり除湿剤収納籠４０の収納部４２に収納される除湿剤Ｍは、外気（空気）中の水分を吸収して潮解（溶解）する粉粒体状の塩化カルシウムなどが使用される。除湿剤Ｍは塩化カルシウムに限らず適宜選定するとよい。
【００３２】
なお、図示していないが、蓋体６０の天板部６１には吸気口２０近くに湿度センサを設け、この湿度センサを前記電源５やモータ７及びファン６と電気的に接続して、外気が一定湿度以上になったときには、前記湿度センサが感知してモータ７及びファン６を作動して、外気を吸気口２０より除湿剤Ｍに接触させて、その除湿空気を空気通路３０、排気連通口２１及び排気口６２より器体外へワンパス式に排出する操作を繰り返すようにすることもできる。本実施形態では上記湿度センサを設けていない除湿器に適用しているものである。
図２で、６８はモータ７を介してファン６を回転又は停止するためのスイッチである。
【００３３】
上記第１実施形態の除湿器の作用について、以下に説明する。
図１は本実施形態における除湿器の使用状態時（器体正立時）の断面図を示しており、この図１から判るように、容器本体１の電装部品収納室４には電源５やファン６やモータ７等の電装部品が組み込まれており、また仕切壁１０より上方の除湿剤収納室１１には除湿剤Ｍを収納した除湿剤収納籠４０が収納してあり、容器本体１に蓋体６０が着脱自在に被蓋してある。
【００３４】
上記使用状態（器体正立時）の除湿器を押入れ等の床面等に載置すると、吸気口２０、空気通路３０、除湿剤収納籠４０（除湿剤Ｍ）、排気連通口２１、排気口６２とは外気（空気）が貫流（通過）される状態となる。
【００３５】
上記外気貫流状態において、湿度センサを設けているときには該湿度センサによる検出湿度が設定値より高い湿度の場合、又は湿度センサがないときには設定値以上の湿度の場合には、電源５よりモータ７を介してファン６が回転され、外気は、図１に矢印で示すように、前記吸気口２０から空気通路３０、除湿剤Ｍ、排気連通口２１、排気口６２より器体外に至る貫流ルートを強制的に流通される。
【００３６】
ここで、前記吸気口２０から導入された外気（空気）は、空気通路３０を経て、除湿剤収納籠４０に収納された除湿剤Ｍに接触することにより、該外気（空気）中の水分が除去され乾燥される。この乾燥された空気（除湿空気ともいう）は、排気連通口２１を経て排気口６２から器体外へ排出される。
【００３７】
以上の除湿操作が繰り返し行なわれるのであるが、その除湿剤Ｍの水分除去能力が飽和状態になるなど一定の条件に達すると、除湿剤Ｍが溶解（潮解）される。その溶解された溶解液Ｗは、空気通路３０を構成する仕切壁１０の傾斜面に沿って流れ、止水弁１５と仕切壁１０との隙間を介して連通孔１４から、仕切壁１０の下方に形成した溶解液貯留室１２内へ貯留される。
【００３８】
上記使用状態（器体正立時）において、除湿器が正立状態から１８０度転倒した倒立状態となったときには、図３に示すように、連通孔１４が上方位置となり、下部弁部１８が弁座部１９に着座して連通孔１４が封止される。その結果、溶解液Ｗが溶解液貯留室１２から漏洩することがない。また、除湿器が９０度転倒した状態となったときには、図４に示すようになって、この場合も同様に連通孔１４が下部弁部１８で封止される。
【００３９】
図１の使用状態時（器体正立時）において、溶解液貯留室１２に貯留された溶解液を器体外へ排出する場合には、溶解液排出口２２を閉塞したキャップ２４を取り外し器体を傾けることにより行なう。
【００４０】
除湿剤収納籠４０への除湿剤Ｍの投入は、図１に示すように、該除湿剤収納籠４０を容器本体１の除湿剤収納室１１に組み込んだ状態において、蓋体（外蓋）６０のキャップ６６を取り外して除湿剤投入口６３から投入する。または、図１の状態で蓋体（外蓋）６０を容器本体１から取り外した後、該容器本体１から除湿剤収納籠４０を取り出し、その除湿剤収納籠４０の収納部４２に除湿剤Ｍを投入して、該除湿剤収納籠４０を前記除湿剤収納室１１内に収納することもできる。この場合には、除湿剤投入口６３やキャップ６６は前述したように必要性がなくなる。
【００４１】
【発明の実施の形態２】
本発明の実施の形態の第２例を図５に基づいて以下に説明する。
この場合の除湿器は、第１実施形態のものと、仕切壁１０と止水弁１５の構造が異なり、その他の構造は同様としているものである。従って、説明の便宜上、両者が同一構造の部分については、第１実施形態のものと同一符号を使用する。詳細は第１実施形態の説明を参照するとよい。
【００４２】
この第２実施形態の仕切壁１０は、容器本体１の外周壁上部の内側（一端側）から連通孔または止水弁（他端側）に向けて下り勾配に傾斜させてあり、該仕切壁１０の連通孔または止水弁側は開口１０ａするとともに、断面が角錐や円錐等で有底の筒体１３を垂設している。そして、前記筒体１３により前記除湿剤収納室１１と溶解液貯留室１２とを連通する連通孔１４が形成してある。また筒体１３の底板部には連通小孔１４ａと止水弁２５を支持する複数のリブ１３ａが形成してあり、溶解液は、空気通路３０、開口１０ａ、連通孔１４、リブ１３ａ同士間に形成され溝を経て連通小孔１４ａより溶解液貯留室１２へ落下し貯留される。
【００４３】
筒体１３の連通孔１４は弁室ともなるもので、この連通孔１４内には、器体が正立状態時に前記開口１０ａ、連通孔１４、リブ１３ａ同士間の溝及び連通小孔１４ａが連通するようにした止水弁２５が嵌装されている。この止水弁２５の具体的構成としては、断面が野球用のホームベース形状としてあるが、この形状に限定されない。
【００４４】
この第２実施形態の止水弁２５は、上記構成を採っているので、器体の正立状態時には止水弁２５は開弁状態であるが、器体が１８０度転倒した倒立状態時には、止水弁２５の上面２５ａが仕切壁１０の開口１０ａを閉塞するため、第１実施形態の場合と同様に、溶解液貯留室１２内の溶解液Ｗが器体外へ漏洩することがない。また、器体が９０度転倒した横倒状態時には、止水弁２５のテーパ面２５ｂが、筒体１３の底板部に形成した連通小孔１４ａを閉塞するため、前記と同様に溶解液が器体外へ漏洩することがない。
【００４５】
除湿すべき外気（空気）の流れや、除湿器の作用等については、前記第１実施形態の除湿器の説明を参照するとよい。
【００４６】
【変形例等】
除湿剤Ｍとしては、前記各実施形態では、塩化カルシウムなどを用いたが、シリカゲルや合成ゼオライトなどのように再生可能なものでもよく、その他の材質からなるものでもよい。
【００４７】
止水弁１５、２５の形状は図示のものに限定されず適宜変更できる。
【００４８】
第１、第２の実施形態において、容器本体１と蓋体６０の結合方法は、前述の構成に限定されるものではなく、適宜設計変更できる。例えば、容器本体１と蓋体６０とは、着脱自在としないで、溶着や無理嵌めなどにより両者を一体に構成することもできる。
また、除湿剤収納籠４０は、各実施形態で示したような形状に限定されるものではなく、適宜設計変更できる。
【００４９】
電源５とファン６とモータ７などの電装部品を収納する電装部品収納室４は、容器本体１や蓋体６０の形状を変更することにより、図示していないが、容器本体１の底部や蓋体６０の上面等に設けることもできる。
【００５０】
【発明の効果】
請求項１の除湿器によれば、容器本体と蓋体とで形成される内部空間を、仕切壁により上下２つに区画し、該仕切壁より上方を除湿剤収納室とし、下方を溶解液貯留室として、容器本体の内部空間の上方位置には未溶解の除湿剤を、下方位置には該除湿剤の溶解液を、それぞれ収納する構成としているから、未溶解の除湿剤が溶解液と混入したり浸漬されたりすることが防止でき、除湿剤の耐用日数の延命化を向上することができる。
【００５１】
また、仕切壁には除湿剤収納室と溶解液貯留室とを連通する連通孔を形成し、この連通孔に器体正立時には開弁状態となり器体転倒時には閉弁状態となる止水弁を設けているから、従来例の除湿器では開閉弁を２個設ける必要があったが、本発明では止水弁を１個でよいため弁装置の個数が少なくなり、部品点数の削減に寄与することができる。
しかも、器体が転倒した場合には、前記止水弁が前記連通孔を封止するので、溶解液が器体外へ漏洩することもない。
【００５２】
請求項２の除湿器によれば、前記請求項１の効果に加え、仕切壁は、容器本体の外周壁上部の内側から連通孔または止水弁に向けて下り勾配に傾斜させてあるから、外気（空気）に接触して溶解された溶解液が、仕切壁の傾斜面に沿って円滑に連通孔へ流れて行き、溶解液貯留室へ貯留される。
【００５３】
請求項３の除湿器によれば、上記請求項１、２の効果に加え、仕切壁より上方に設けた除湿剤収納室には、多数の小孔からなる網目状の除湿剤収納籠を設け、この除湿剤収納籠と前記仕切壁との間に吸気口及び排気口と連通した空気通路を形成してなり、除湿剤は除湿剤収納籠に収納しているから、除湿剤の単位粒子が止水弁や連通孔を閉塞するのを防止できるとともに、除湿剤の投入が容易にできる。
【００５４】
請求項４または５の除湿器によれば、上記請求項の効果に加え、蓋体の天板部に除湿剤投入口を形成しているから、除湿剤を除湿剤収納室または除湿剤収納籠へ投入し易い。
【００５５】
請求項６の除湿器によれば、上記請求項の効果に加え、吸気口より導入された外気を、除湿剤収納室の除湿剤を経て排気口より器体外へ強制的に排出するためのファンを備えているから、除湿すべき外気（空気）を、電動ファンによる強制換気手段によって、迅速に除湿することができる。
【図面の簡単な説明】
【図１】本発明の第１実施形態の除湿器の器体正立時（使用状態時）の縦断面図である。
【図２】本発明の第１実施形態における除湿器の器体正立時（使用状態時）の平面図である。
【図３】本発明の第１実施形態における除湿器が１８０度倒立した状態時の仕切壁及び止水弁の拡大断面図である。
【図４】本発明の第１実施形態における除湿器が９０度横倒した状態の仕切壁及び止水弁の拡大断面図である。
【図５】本発明の第２実施形態の除湿器の器体正立時（使用状態時）の縦断面図である。
【図６】従来例の除湿器の縦断面図である。
【図７】従来例の除湿器の平面図である。
【符号の説明】
１　　　　　　　容器本体
２　　　　　　　開口
４　　　　　　　電装部品収納室
５　　　　　　　電源
６　　　　　　　ファン
７　　　　　　　モータ
８　　　　　　　内部空間
１０　　　　　　仕切壁
１１　　　　　　除湿剤収納室
１２　　　　　　溶解液貯留室
１４　　　　　　連通孔
１５　　　　　　止水弁
２０　　　　　　吸気口
２２　　　　　　溶解液排出口
２５　　　　　　止水弁
３０　　　　　　空気通路
４０　　　　　　除湿剤収納籠
４１　　　　　　小孔
６０　　　　　　蓋体
６２　　　　　　排気口
６３　　　　　　除湿剤投入口
Ｍ　　　　　　　除湿剤
Ｗ　　　　　　　溶解液
【図１】
2004008936.tif 000003
【図２】
2004008936.tif 000004
【図３】
2004008936.tif 000005
【図４】
2004008936.tif 000006
【図５】
2004008936.tif 000007
【図６】
2004008936.tif 000008
【図７】
2004008936.tif 000009